(57)【要約】【課題】パラボラ型反射鏡を２つの回動軸で支持し、この回動軸で支持した円筒状外枠体をやはり２つの回動軸で支柱部材に支持するようにしたことにより、円筒状外枠体を回動させて太陽方向を向くようにし、パラボラ型反射鏡を回動させて太陽に追随させることが極めて簡単な構造で実現した太陽光追尾装置を提供する。【解決手段】太陽光追尾装置は、太陽光を集光するパラボラ型反射鏡と、前記パラボラ型反射鏡の外径より拡径に形成された円筒状外枠体と、前記円筒状外枠体の対向する２つの位置から前記パラボラ型反射鏡の双方の外壁に第一回動軸を設け、該第一回動軸の少なくとも一方には、第一回動駆動手段を備え、前記円筒状外枠体の前記第一回動軸と直交する双方位置に２つの支柱部材のそれぞれと連結した第二回動軸を設け、該第二回動軸の少なくとも一方には、第二回動駆動手段を備えたことである。【選択図】図１
2010019536.tif 000002
【特許請求の範囲】
【請求項１】
太陽光を集光するパラボラ型反射鏡と、
前記パラボラ型反射鏡の外径より拡径に形成された円筒状外枠体と、
前記円筒状外枠体の対向する２つの位置から前記パラボラ型反射鏡の双方の外壁に第一回動軸を設け、
該第一回動軸の少なくとも一方には、第一回動駆動手段を備え、
前記円筒状外枠体の前記第一回動軸と直交する双方位置に２つの支柱部材のそれぞれと連結した第二回動軸を設け、
該第二回動軸の少なくとも一方には、第二回動駆動手段を備えたこと
を特徴とする太陽光追尾装置。
【発明の詳細な説明】
【技術分野】
【０００１】  本発明は、太陽光追尾装置に関し、詳しくは、パラボラ型反射鏡を用いて太陽光を集光する装置において、パラボラ型反射鏡を太陽方向に向けて追尾させる支持構造を直交する方向に設けた２つの回動軸を回動させることで太陽方向及び太陽の移動に追尾させる太陽光追尾装置に関する。
【背景技術】
【０００２】  従来技術における、太陽光追尾装置として、図２に示すように、太陽光を受光するパラボラ型反射鏡１０１を備え、このパラボラ型反射鏡１０１を太陽方向に向けるため、一つの支柱で支える固定部１０２をパラボラ型反射鏡の背後に取り付けた構成になっている。
固定部１０２は図示しないがパラボラ型反射鏡１０１を太陽方向に向けるための仰角調整駆動機構、太陽方向に追尾させるための水平方向回動機構からなる。
【特許文献１】特開２００５−１０６４３２号公報
【発明の開示】
【発明が解決しようとする課題】
【０００３】  しかしながら、従来技術で説明した太陽光追尾装置は、パラボラ型反射鏡を一つの支柱で支持した構造であるため、不安定な状態で支持することになり、天候などの外部要因による弊害を受け易いという問題がある。
従って、天候などの外部要因によって左右されない支持構造にすることと簡単な構造でパラボラ型反射鏡を太陽光方向に追尾させることができる支持構造に解決しなければならない課題を有する。
【課題を解決するための手段】
【０００４】  上記課題を解決するために、本願発明の太陽光追尾装置は、次に示す構成にしたことである。【０００５】  太陽光追尾装置は、太陽光を集光するパラボラ型反射鏡と、前記パラボラ型反射鏡の外径より拡径に形成された円筒状外枠体と、前記円筒状外枠体の対向する２つの位置から前記パラボラ型反射鏡の双方の外壁に第一回動軸を設け、該第一回動軸の少なくとも一方には、第一回動駆動手段を備え、前記円筒状外枠体の前記第一回動軸と直交する双方位置に２つの支柱部材のそれぞれと連結した第二回動軸を設け、該第二回動軸の少なくとも一方には、第二回動駆動手段を備えたことである。
【発明の効果】
【０００６】  本発明においては、パラボラ型反射鏡を２つの回動軸で支持し、この回動軸で支持した円筒状外枠体をやはり２つの回動軸で支柱部材に支持するようにしたことにより、円筒状外枠体を回動させて太陽方向を向くようにし、パラボラ型反射鏡を回動させて太陽に追随させることが極めて簡単な構造で実現することができる。
【発明を実施するための最良の形態】
【０００７】  次に、本願発明に係る太陽光追尾装置の実施例について図面を参照して説明する。【０００８】  本願発明の太陽光追尾装置は、図１に示すように、太陽光を集光するパラボラ型反射鏡を２つの回動軸で支持され、太陽の動きに追随して回動軸を駆動させてパラボラ型反射鏡を太陽方向に向け且つ追尾させるようにしたものである。【０００９】  その構成は、太陽光を集光するパラボラ型反射鏡１１と、パラボラ型反射鏡１１の外径より拡径に形成された円筒状外枠体１２と、円筒状外枠体１２の対向する２つの位置からパラボラ型反射鏡の双方の外壁に第一回動軸１３ａ、１３ｂを設け、この第一回動軸１３ａ、１３ｂの少なくとも一方（第一回動軸１３ａ）には、第一回動駆動手段１４を備えた構成になっている。
又、円筒状外枠体１２の第一回動軸１３ａ、１３ｂと直交する双方位置に２つの支柱部材１５ａ、１５ｂのそれぞれと連結した第二回動軸１６ａ、１６ｂを設け、この第二回動軸１６ａ、１６ｂの少なくとも一方（第二回動軸１６ａ）には、第二回動駆動手段１７を備えた構成になっている。
支柱部材１５ａ、１５ｂの間には補強を目的として梁部材１８を備えた構成になっている。【００１０】  更に、実施例においては、パラボラ型反射鏡１１の焦点位置に熱により発電する熱電モジュール体２１を配置し、その熱電モジュール体２１の上部面に冷却部２２を備えた構成になっている。【００１１】  熱電モジュール体２１は、所謂、熱電モジュールを規則正しく複数個並べて構成されている。
熱電モジュールは、東芝の熱電モジュールｇｉｇａｔｏｐａｚ（ギガトパーズ）（トレードマーク）で更に進化したｇｉｇａｔｏｐａｚ  Ｇ７であり、１４ｃｍ２のブロック状で、この熱電モジュールは高性能半導体の高密度実装と封止モジュール構造の採用によりモジュールの高温側温度７００℃、低温側温度１５℃、温度差６８５℃で出力４０Ｗを得る機能を有する。【００１２】  さて、熱電モジュールについて、その原理等を説明すると、熱電モジュールは、ｐ型発電素子とｎ型発電素子とが電気的に直列となるように接合された熱電素子の性質を利用したものであり、熱エネルギーを電気エネルギーに変換し、又は、電気エネルギーを熱エネルギーに変換する機能を有する独立した部品である。
詳述すると、発電素子は、ｐ型熱電素子とｎ型熱電素子との接合部開に温度差を与えると電位差が発生するゼーベック効果と、ｐ型発電素子とｎ型発電素子との接合部間に電流を流すと、その電流の向きに応じて吸熱又は発熱するペルチェ効果とを有し、このような効果を利用して、電気エネルギーと熱エネルギーとを相互に変換する。【００１３】  このような構成からなる熱電モジュール体２１は、発電した電力を導電線２３を介して蓄電部２４に蓄電する。【００１４】  冷却部２２は、内部に管路を形成し、その管路に冷却水を供給する。この管路は流路２５に連結し、この流路２５が冷却循環部２６に連結して水を管路に供給する構成となっている。【００１５】  上記構成からなる追尾装置において、先ず、第二回動軸１６ａを矢印で示す方向に動かして円筒状外枠体１２自体を動かして太陽方向に向ける。当然に円筒状外枠体１２に支持されているパラボラ型反射鏡１１も太陽方向を向くように動く。次に、第一回動軸１３ａを矢印で示す方向に動かすことによりパラボラ型反射鏡１１を太陽の動きに追随させて動かすことができる。
【産業上の利用可能性】
【００１６】  パラボラ型反射鏡を２つの回動軸で支持し、この回動軸で支持した円筒状外枠体をやはり２つの回動軸で支柱部材に支持するようにしたことにより、円筒状外枠体を回動させて太陽方向を向くようにし、パラボラ型反射鏡を回動させて太陽に追随させることが極めて簡単な構造で実現した太陽光追尾装置を提供する。
【図面の簡単な説明】
【００１７】
【図１】  本願発明の太陽光追尾装置を略示的に示した説明図である。
【図２】  従来技術における太陽光を追尾する機構を略示的に示した説明図である。
【符号の説明】
【００１８】１１      パラボラ型反射鏡
１２      円筒状外枠体
１３ａ    第一回動軸
１３ｂ    第一回動軸
１４      第一回動駆動手段
１５ａ    支柱部材
１５ｂ    支柱部材
１６ａ    第二回動軸
１６ｂ    第二回動軸
１７      第二回動駆動手段
１８      梁部材
２１      熱電モジュール体
２２      冷却部
２３      導電線
２４      蓄電部
２５      流路
２６      冷却循環部
【図１】
2010019536.tif 000003
【図２】
2010019536.tif 000004